(57)【要約】【課題】インクジェットヘッドによるインク吐出時に発生するサテライトの増加を抑制する。【解決手段】吐出データ生成部４２は、ノズルから吐出する１画素あたりのインクのドロップ数を調整可能なインクジェットヘッド２１を備えるインクジェット印刷装置１における各画素に対するインクのドロップ数を示す吐出データを、印刷画像データに基づき生成する。吐出データ生成部４２は、１画素あたりのインクの最小ドロップ数をインクの表面張力に応じて設定した吐出データを生成する。【選択図】図１
2019202489.tif 000002
【特許請求の範囲】
【請求項１】
インクを吐出するノズルを有し、前記ノズルから吐出する１画素あたりのインクの吐出量を複数段階で調整可能なインクジェットヘッドを備えるインクジェット印刷装置における各画素に対するインクの吐出量を示す吐出データを、印刷画像データに基づき生成する吐出データ生成部を備え、
前記吐出データ生成部は、１画素あたりのインクの最小吐出量をインクの表面張力に応じて設定した吐出データを生成することを特徴とする画像処理装置。
【請求項２】
請求項１に記載の画像処理装置と、
前記インクジェットヘッドとを備え、
前記インクジェットヘッドが前記ノズルから吐出するインクは、印刷時の明度に応じた表面張力を有することを特徴とするインクジェット印刷装置。
【発明の詳細な説明】
【技術分野】
【０００１】
本発明は、画像処理装置およびインクジェット印刷装置に関する。
【背景技術】
【０００２】
インクジェットヘッドのノズルからインクの液滴を吐出して印刷媒体に着弾させ、画像を形成するインクジェット印刷装置が知られている。
【０００３】
このようなインクジェット印刷装置において、油性インクが使用されることがある（特許文献１参照）。油性インクは、一般に、石油系炭化水素溶剤等を非水系溶剤として用いて構成されている。このような油性インクは、ポリプロピレン等の素材を膨潤させる性質がある。
【０００４】
このため、上述のような油性インクを用いるインクジェット印刷装置によって印刷された印刷物を、ポリプロピレンを主成分とするクリアファイルに挟んで保管すると、クリアファイルが変形（カール）する現象が生じる。
【０００５】
これに対し、ポリプロピレンの膨潤を抑制できる溶剤を採用した油性インクであれば、上述したクリアファイルの変形を抑制することが可能である。
【先行技術文献】
【特許文献】
【０００６】
【特許文献１】特開２００９−２７５２２１号公報
【発明の概要】
【発明が解決しようとする課題】
【０００７】
しかしながら、ポリプロピレンの膨潤を抑制しつつ、インクジェット方式に適した低粘度、低極性の溶剤を選定すると、一般に、油性インクの表面張力が低下してしまう。
【０００８】
インクジェット印刷装置において、表面張力が低いインクを用いて印刷を行うと、インク吐出時に主滴以外の微小液滴であるサテライトが発生しやすい。すなわち、クリアファイルの変形を抑制するために、ポリプロピレンを膨潤させない溶剤を採用した油性インクを用いると、一般に、サテライトの増加を招く。サテライトは、印刷物や装置内部の汚れ（ミスト汚れ）の原因となる。
【０００９】
本発明は上記に鑑みてなされたもので、インクジェットヘッドによるインク吐出時に発生するサテライトの増加を抑制できる画像処理装置およびインクジェット印刷装置を提供することを目的とする。
【課題を解決するための手段】
【００１０】
上記目的を達成するため、本発明の画像処理装置は、インクを吐出するノズルを有し、前記ノズルから吐出する１画素あたりのインクの吐出量を複数段階で調整可能なインクジェットヘッドを備えるインクジェット印刷装置における各画素に対するインクの吐出量を示す吐出データを、印刷画像データに基づき生成する吐出データ生成部を備え、前記吐出データ生成部は、１画素あたりのインクの最小吐出量をインクの表面張力に応じて設定した吐出データを生成することを特徴とする。
【００１１】
本発明のインクジェット印刷装置は、上記本発明の画像処理装置と、前記インクジェットヘッドとを備え、前記インクジェットヘッドが前記ノズルから吐出するインクは、印刷時の明度に応じた表面張力を有することを特徴とする。
【発明の効果】
【００１２】
本発明によれば、インクジェットヘッドによるインク吐出時に発生するサテライトの増加を抑制できる。
【図面の簡単な説明】
【００１３】
【図１】実施の形態に係るインクジェット印刷装置の構成を示すブロック図である。
【図２】図１に示すインクジェット印刷装置の搬送部および印刷部の概略構成図である。
【図３】インクの印刷時の明度と表面張力との関係を示す図である。
【図４】画像処理部の動作を説明するためのフローチャートである。
【図５】最小ドロップ数に応じた吐出データの一例を示す図である。
【図６】最小ドロップ数に応じた吐出データの他の例を示す図である。
【図７】最小ドロップ数に応じた吐出データのさらに他の例を示す図である。
【図８】最小ドロップ数に応じた吐出データのさらに他の例を示す図である。
【図９】（ａ），（ｂ）は、サテライトの発生状況を示す図である。
【発明を実施するための形態】
【００１４】
以下、本発明の実施の形態について、図面を参照して説明する。各図面を通じて同一もしくは同等の部位や構成要素には、同一もしくは同等の符号を付している。
【００１５】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
図１は、本発明の実施の形態に係るインクジェット印刷装置の構成を示すブロック図である。図２は、図１に示すインクジェット印刷装置の搬送部および印刷部の概略構成図である。なお、以下の説明において、図２における紙面の上下左右を上下左右方向とする。また、図２の紙面に直交する方向を前後方向とする。
【００１７】
図１に示すように、本実施の形態に係るインクジェット印刷装置１は、搬送部２と、印刷部３と、制御部４とを備える。
【００１８】
搬送部２は、図示しない給紙部から給紙された印刷媒体である用紙Ｐを搬送する。図２の左から右に向かう方向が、用紙Ｐの搬送方向である。搬送部２は、搬送ベルト１１と、駆動ローラ１２と、従動ローラ１３〜１５と、搬送モータ１６と、ファン１７とを備える。
【００１９】
搬送ベルト１１は、用紙Ｐを吸着保持して搬送する。搬送ベルト１１は、駆動ローラ１２および従動ローラ１３〜１５に掛け渡される環状のベルトである。搬送ベルト１１には、用紙Ｐを吸着保持するための貫通穴である複数のベルト穴（図示せず）が形成されている。搬送ベルト１１は、ファン１７によるエア吸引によりベルト穴に発生する吸着力により、搬送面（上面）１１ａ上に用紙Ｐを吸着保持する。搬送ベルト１１は、図２における時計回り方向に回転することで、吸着保持した用紙Ｐを右方向に搬送する。
【００２０】
駆動ローラ１２は、搬送ベルト１１を図２における時計回り方向に回転させる。
【００２１】
従動ローラ１３〜１５は、駆動ローラ１２とともに搬送ベルト１１を支持する。従動ローラ１３〜１５は、搬送ベルト１１を介して駆動ローラ１２に従動回転する。従動ローラ１３は、駆動ローラ１２と同じ高さで、駆動ローラ１２の左方に配置されている。従動ローラ１４，１５は、駆動ローラ１２および従動ローラ１３より下方において、互いに左右方向に離間して、同じ高さに配置されている。
【００２２】
搬送モータ１６は、駆動ローラ１２を回転駆動させる。
【００２３】
ファン１７は、下方向への気流を生じさせる。これにより、ファン１７は、搬送ベルト１１のベルト穴を介して空気を吸引してベルト穴に負圧を発生させ、用紙Ｐを搬送ベルト１１の搬送面１１ａ上に吸着させる。ファン１７は、搬送ベルト１１に囲まれた領域に配置されている。
【００２４】
印刷部３は、搬送部２により搬送される用紙Ｐに画像を印刷する。印刷部３は、搬送部２の上方に配置されている。印刷部３は、インクジェットヘッド２１Ｋ，２１Ｃ，２１Ｍ，２１Ｙと、ヘッドホルダ２２と、ヘッドギャップ調整部２３とを備える。なお、以下において、インクジェットヘッド２１Ｋ，２１Ｃ，２１Ｍ，２１Ｙの符号におけるアルファベットの添え字を省略して総括的に表記することがある。
【００２５】
インクジェットヘッド２１は、搬送ベルト１１により搬送される用紙Ｐにインクを吐出する。インクジェットヘッド２１は、ノズル列（図示せず）を有する。ノズル列は、主走査方向（前後方向）に沿って配置された複数のノズル（図示せず）からなる。ノズルは、インクジェットヘッド２１の下面であるノズル面２１ａに開口し、インクを吐出する。インクジェットヘッド２１は、１つのノズルから１つの画素に対して複数のインク滴を吐出可能なマルチドロップ方式のものであり、インク滴の数であるドロップ数（吐出量）により濃度を表現する階調印刷を行う。
【００２６】
インクジェットヘッド２１Ｋ，２１Ｃ，２１Ｍ，２１Ｙは、用紙Ｐの搬送方向である副走査方向（左右方向）に沿って並列して配置されている。インクジェットヘッド２１Ｋ，２１Ｃ，２１Ｍ，２１Ｙは、それぞれブラック（Ｋ）、シアン（Ｃ）、マゼンタ（Ｍ）、イエロー（Ｙ）のインクをノズルから吐出する。
【００２７】
インクジェットヘッド２１が吐出するインクは、印刷物によるクリアファイルの変形を抑制できる溶剤が採用された油性インクである。すなわち、インクジェットヘッド２１が吐出するインクは、ポリプロピレンの膨潤を抑制しつつ、インクジェット方式に適した低粘度、低極性の溶剤を含む油性インクである。例えば、インクジェットヘッド２１が吐出するインクは、非水系溶剤としてシリコーンオイルを含む油性インクである。
【００２８】
また、インクジェットヘッド２１Ｋ，２１Ｃ，２１Ｍ，２１Ｙがそれぞれノズルから吐出する各色のインクは、それぞれのインクの印刷時の明度に応じた表面張力を有するものである。具体的には、図３に示すように、印刷時の明度が高いインクほど、表面張力が小さくなっている。ここで、図３に示す印刷時の明度は、１００％ベタ印刷による印刷画像の、Ｌａｂ表色系におけるＬ値である。１００％ベタ印刷は、印刷領域の各画素に対して１画素あたりの最大ドロップ数で印刷することである。
【００２９】
インクの表面張力は、インクが含む各種の溶剤の比率により変化する。印刷物によるクリアファイルの変形を抑制できる溶剤を含む本実施の形態の油性インクでは、当該溶剤の比率の調整により、クリアファイルの変形を抑制する性能（クリアファイル変形抑制性能）を高くするほど、表面張力は小さくなる。すなわち、インクジェット印刷装置１では、印刷時の明度が高いインクほど、クリアファイル変形抑制性能が高いインクになっている。各色のインクの表面張力は、実験等に基づき、クリアファイル変形抑制性能、およびインク吐出時のサテライトの発生度合いに応じて調整された、インクにおけるクリアファイルの変形を抑制できる溶剤の比率に応じたものになっている。
【００３０】
なお、各色のインクのうちの一部のインクが、印刷物によるクリアファイルの変形を抑制するための溶剤を含まない油性インクであってもよい。
【００３１】
ヘッドホルダ２２は、インクジェットヘッド２１Ｋ，２１Ｃ，２１Ｍ，２１Ｙを保持する。ヘッドホルダ２２は、中空状の直方体形状に形成されている。ヘッドホルダ２２は、インクジェット印刷装置１の筐体（図示せず）内の所定位置に固定されている。
【００３２】
ヘッドギャップ調整部２３は、ヘッドギャップＨｇを調整する。ヘッドギャップＨｇは、搬送ベルト１１の搬送面１１ａとインクジェットヘッド２１のノズル面２１ａとの間の距離である。ヘッドギャップＨｇは、インクジェットヘッド２１への用紙Ｐの接触（ヘッドアタック）を防止するために、印刷に使用される用紙種類（用紙Ｐの厚さ等）に応じて調整される。ヘッドギャップ調整部２３は、昇降機構部２６と、昇降モータ２７と、調整部材２８とを備える。
【００３３】
昇降機構部２６は、搬送部２を昇降させる。昇降機構部２６は、ワイヤ、プーリ等を有し、ワイヤにより搬送部２を吊り下げ支持している。昇降機構部２６は、昇降モータ２７の駆動力で回転するプーリによりワイヤの巻き取りおよび繰り出しを行うことで、搬送部２を昇降させる。
【００３４】
昇降モータ２７は、昇降機構部２６にワイヤの巻き取りおよび繰り出しを行うための駆動力を供給する。
【００３５】
調整部材２８は、ヘッドギャップＨｇを調整するための部材である。調整部材２８は、ヘッドホルダ２２の底面の四隅にそれぞれ立設されている。搬送部２が調整部材２８の下端に突き当てられることで、搬送部２が位置決めされる。調整部材２８は、設定するヘッドギャップＨｇに応じて上下方向の長さを複数段階に調整可能に構成されている。
【００３６】
制御部４は、インクジェット印刷装置１全体の動作を制御する。制御部４は、メカ制御部３１と、画像処理部（画像処理装置に相当）３２と、ヘッド制御部３３とを備える。制御部４の各部は、ＣＰＵ、ＲＡＭ、ＲＯＭ、ハードディスク等によってソフトウェア的またはハードウェア的に実現できる。
【００３７】
メカ制御部３１は、搬送部２を制御して用紙Ｐを搬送させる。また、メカ制御部３１は、ヘッドギャップ調整部２３を制御してヘッドギャップＨｇを調整させる。
【００３８】
画像処理部３２は、パーソナルコンピュータ等の外部装置から送信されたＰＤＬ形式の印刷ジョブデータを処理して、インクジェットヘッド２１Ｋ，２１Ｃ，２１Ｍ，２１Ｙが吐出する各インク色に対応する各色（Ｋ，Ｃ，Ｍ，Ｙ）の吐出データを生成する。各色の吐出データは、各画素に対して吐出する各色のインクのドロップ数を示すデータ（ドロップデータ）である。
【００３９】
画像処理部３２は、ＲＩＰ（Raster Image Processor）処理部４１と、吐出データ生成部４２とを備える。
【００４０】
ＲＩＰ処理部４１は、印刷ジョブデータをＲＩＰ処理して、Ｒ，Ｇ，Ｂの画像データ（印刷画像データに相当）を生成する。このＲ，Ｇ，Ｂの画像データは、例えば、各色８ビットの２５６階調のデータである。
【００４１】
吐出データ生成部４２は、Ｒ，Ｇ，Ｂの画像データに基づき、インクジェットヘッド２１Ｋ，２１Ｃ，２１Ｍ，２１Ｙにそれぞれ対応する各インク色（Ｋ，Ｃ，Ｍ，Ｙ）の吐出データを生成する。吐出データ生成部４２は、色変換部４６と、ハーフトーン処理部４７とを備える。
【００４２】
色変換部４６は、ＲＩＰ処理部４１で生成されたＲ，Ｇ，Ｂの画像データをＣ，Ｍ，Ｙ，Ｋの画像データに変換する色変換処理を行う。このＣ，Ｍ，Ｙ，Ｋの画像データは、例えば、各色８ビットの２５６階調のデータである。
【００４３】
ハーフトーン処理部４７は、色変換部４６で生成されたＣ，Ｍ，Ｙ，Ｋの画像データをハーフトーン処理して、各インク色の吐出データを生成する。ハーフトーン処理部４７は、例えば、ディザ法によるハーフトーン処理により、吐出データを生成する。ここで、ハーフトーン処理部４７は、１画素あたりのインクの最小ドロップ数（最小吐出量に相当）をインクの表面張力に応じて設定した吐出データを生成する。
【００４４】
具体的には、ハーフトーン処理部４７は、インクの表面張力が小さいインクほど、最小ドロップ数が大きくなるように、各色の吐出データを生成する。すなわち、最小ドロップ数はイエローが最も大きく、以下、マゼンタ、シアン、ブラックの順となる。ハーフトーン処理部４７は、インクの表面張力に応じて予め設定された各色のインクの最小ドロップ数を記憶している。各色のインクの最小ドロップ数は、実験等に基づき、インク吐出時のサテライトの発生度合い、および印刷画像における粒状性の悪化度合いに応じて設定される。
【００４５】
ヘッド制御部３３は、吐出データ生成部４２で生成された各色の吐出データに基づき、インクジェットヘッド２１Ｋ，２１Ｃ，２１Ｍ，２１Ｙを駆動させてインクを吐出させる。
【００４６】
次に、インクジェット印刷装置１の動作について説明する。
【００４７】
外部装置から送信された印刷ジョブデータを受信すると、インクジェット印刷装置１は、画像処理部３２において、印刷ジョブデータに基づき吐出データを生成する動作を行う。この画像処理部３２の動作について、図４のフローチャートを参照して説明する。
【００４８】
図４のステップＳ１において、画像処理部３２のＲＩＰ処理部４１は、印刷ジョブデータをＲＩＰ処理して、Ｒ，Ｇ，Ｂの画像データを生成する。
【００４９】
次いで、ステップＳ２において、色変換部４６は、Ｒ，Ｇ，Ｂの画像データをＣ，Ｍ，Ｙ，Ｋの画像データに変換する色変換処理を行う。
【００５０】
次いで、ステップＳ３において、ハーフトーン処理部４７は、Ｃ，Ｍ，Ｙ，Ｋの画像データをハーフトーン処理して、各インク色の吐出データを生成する。この際、ハーフトーン処理部４７は、１画素あたりの最小ドロップ数をインクの表面張力に応じて設定したハーフトーン処理により、各インク色の吐出データを生成する。
【００５１】
ここで、ハーフトーン処理部４７は、インクの表面張力が小さいインクほど、最小ドロップ数が大きくなるように、各色のインクの最小ドロップ数を設定する。例えば、各インク色の表面張力が図３のように設定されているのに対して、ハーフトーン処理部４７は、Ｋ，Ｃ，Ｍ，Ｙの各色のインクの最小ドロップ数の値を、それぞれ１，２，３，４に設定する。そして、ハーフトーン処理部４７は、最小ドロップ数を各インク色に対応する値に設定したハーフトーン処理により、各インク色の吐出データを生成する。
【００５２】
これにより、ブラックについては、図５に示すように、ブラックの画像データから、最小ドロップ数を１とする吐出データが生成される。シアンについては、図６に示すように、シアンの画像データから、最小ドロップ数を２とする吐出データが生成される。マゼンタについては、図７に示すように、マゼンタの画像データから、最小ドロップ数を３とする吐出データが生成される。イエローについては、図８に示すように、イエローの画像データから、最小ドロップ数を４とする吐出データが生成される。
【００５３】
ここで、図５〜図８において、マス目が画素を示している。図５〜図８における各インク色の画像データは、８ビットの２５６階調のデータであり、マス目の中の数字は画素値を示している。また、図５〜図８における各色の吐出データは、１画素あたりのインクの最大ドロップ数が７の場合のデータであり、マス目の中の数字は各画素に対するドロップ数を示している。
【００５４】
ハーフトーン処理部４７のハーフトーン処理による吐出データの生成が終了すると、画像処理部３２の一連の動作が終了となる。
【００５５】
各色の吐出データが生成された後、ヘッド制御部３３は、吐出データに基づき、インクジェットヘッド２１Ｋ，２１Ｃ，２１Ｍ，２１Ｙを駆動させて、搬送部２により搬送される用紙Ｐにインクを吐出させる。
【００５６】
ここで、用紙搬送の開始に先立ち、メカ制御部３１は、ヘッドギャップ調整部２３によるヘッドギャップＨｇの調整を行っている。メカ制御部３１は、ＲＩＰ処理部４１がＲＩＰ処理により取得する用紙種類情報をＲＩＰ処理部４１から取得し、ヘッドギャップＨｇをその用紙種類に応じた大きさに調整するようヘッドギャップ調整部２３を制御する。
【００５７】
ヘッドギャップＨｇの調整が終了した後、メカ制御部３１は、搬送部２の駆動を開始させる。具体的には、メカ制御部３１は、駆動ローラ１２およびファン１７の駆動を開始させる。
【００５８】
この後、図示しない給紙部から用紙Ｐが搬送部２へ給紙されると、搬送面１１ａ上に用紙Ｐが吸着保持されつつ搬送される。この搬送される用紙Ｐに対し、インクジェットヘッド２１Ｋ，２１Ｃ，２１Ｍ，２１Ｙからインクが吐出されて画像が印刷される。ここで、上述のように生成された吐出データに基づいてインク吐出が行われるので、１画素あたりの最小ドロップ数を、上述のようにインク色ごとに設定された最小ドロップ数とした印刷が行われる。
【００５９】
以上説明したように、インクジェット印刷装置１では、印刷時の明度が高いインクほど、クリアファイル変形抑制性能が高いインクになっている。このため、印刷時の明度が高いインクほど、表面張力が小さくなっている。また、インクジェット印刷装置１では、吐出データ生成部４２は、インクの表面張力が小さいインクほど、最小ドロップ数が大きくなるように各色の吐出データを生成する。
【００６０】
ここで、表面張力が小さいインクほど、ノズルからのインク吐出時にサテライトが発生しやすい。また、図５〜図８の吐出データから分かるように、設定された最小ドロップ数が大きいほど、インク吐出を行う画素数が少なくなる。
【００６１】
ところで、図９（ａ），（ｂ）に示すように、１画素あたりのドロップ数に関わらず、発生するサテライトの大きさや数は同程度である。このため、インク吐出を行う画素数が少なくなると、発生するサテライトも少なくなる。ここで、図９（ａ），（ｂ）は、それぞれ１画素あたりのドロップ数が６，１である場合のサテライトの発生状況を示している。
【００６２】
また、設定された最小ドロップ数が大きいほど、１ドロップ等の少ないドロップ数の吐出が行われる画素が少なくなる。
【００６３】
ここで、マルチドロップ方式では、１つの画素に複数のインク滴が吐出された場合、それらのインク滴は吐出後に合体して１つのインク滴（主滴）となって飛翔する。すなわち、飛翔する主滴の大きさは、１つの画素に対して吐出されるインクのドロップ数に比例する。そして、飛翔する主滴が小さいほど、主滴自体が用紙Ｐの搬送気流等に流されて飛散してサテライト化するおそれが大きい。
【００６４】
これに対し、設定された最小ドロップ数が大きいほど、少ないドロップ数の吐出が行われる画素が少なくなることで、主滴がサテライト化することが少なくなる。この点からも、設定された最小ドロップ数が大きいほど、サテライトは少なくなる。
【００６５】
したがって、インクの表面張力が小さいインクほど、最小ドロップ数を大きく設定することで、サテライトの増加を抑制できる。
【００６６】
一方、最小ドロップ数が大きいほど、インク吐出を行う画素数が少なくなることで、印刷画像におけるハイライト部分の粒状性が悪化し、それにより印刷画質が低下するおそれがある。ただし、明度が高いインク色ほど、ドットの視認性が低いため、印刷画像における粒状性の悪化が目立ちにくい。
【００６７】
そこで、印刷時の明度が高いインクほど、表面張力が小さく、最小ドロップ数が大きくなるよう設定することで、サテライトの増加を抑制しつつ、印刷画質の低下を軽減できる。
【００６８】
また、インクジェット印刷装置１では、印刷時の明度の低いインクほどクリアファイル変形抑制性能を低く抑え、表面張力の低下を抑えているので、表面張力が小さいことによるサテライトの増加を抑制できる。
【００６９】
クリアファイル変形抑制性能については、低明度のインクほどクリアファイル変形抑制性能が相対的に低く抑えられる一方、高明度のインクほどクリアファイル変形抑制性能が相対的に高くなるので、装置全体として良好なクリアファイル変形抑制性能を実現できる。
【００７０】
したがって、インクジェット印刷装置１によれば、クリアファイル変形抑制性能を有するインクを用いてクリアファイルの変形を抑制する場合でも、サテライトの増加を抑制しつつ、印刷画質の低下を軽減できる。
【００７１】
なお、インクの印刷時の明度と表面張力とは無関係としてもよい。このようにしても、インクの表面張力に応じて最小ドロップ数を設定することで、サテライトの増加を抑制できる。
【００７２】
また、上述した実施の形態では、インクジェット印刷装置１が複数のインクジェットヘッド２１を備える構成について説明したが、インクジェットヘッド２１が１つの構成であってもよい。この場合でも、インクの表面張力に応じて最小ドロップ数を設定すればよい。これにより、サテライトの増加を抑制することが可能になる。また、この場合において、インクが印刷時の明度に応じた表面張力を有するように構成してもよい。これにより、印刷時の明度に応じた最小ドロップ数が設定されるので、サテライトの増加を抑制しつつ、粒状性の悪化による印刷画質の低下を軽減することが可能になる。
【００７３】
また、上述した実施の形態では、インクジェット印刷装置１が用いるインクが油性インクである場合について説明したが、水性インクであってもよい。
【００７４】
水性インクの場合、印刷物がクリアファイルを変形させる不都合は生じないが、印刷物が変形（カール）する現象が生じる。そして、印刷物の変形を抑制するために、水性インクに主溶媒として含まれる水の比率を調整することで、インクの表面張力が低くなり、サテライトが発生しやすくなることがある。
【００７５】
そこで、水性インクの場合でも、インクの表面張力に応じて最小ドロップ数を設定することで、サテライトの増加を抑制することが可能になる。また、インクが印刷時の明度に応じた表面張力を有するように構成することで、サテライトの増加を抑制しつつ、粒状性の悪化による印刷画質の低下を軽減することが可能になる。
【００７６】
また、印刷条件に応じて、最小ドロップ数を調整するようにしてもよい。例えば、印刷条件としてのヘッド用紙間距離Ｈｐに応じて、各色のインクの最小ドロップ数を調整するようにしてもよい。具体的には、ヘッド用紙間距離Ｈｐが大きいほど、最小ドロップ数を大きくするようにしてもよい。
【００７７】
ここで、ヘッド用紙間距離Ｈｐは、図２に示すように、ノズル面２１ａと用紙Ｐとの間の距離である。すなわち、ヘッド用紙間距離Ｈｐは、ヘッドギャップＨｇから用紙Ｐの厚さを差し引いたものである。前述のように、ヘッドギャップＨｇは、ヘッドアタックを防止するために、用紙種類（用紙Ｐの厚さ等）に応じて調整される。ヘッドギャップＨｇは、調整部材２８の長さ調整により複数段階に調整可能であるが、必ずしもすべての用紙種類に個別の値を設定することはできない。このため、例えば、厚さが近い用紙種類に対して同じ値のヘッドギャップＨｇが割り当てられることがある。このことから、ヘッド用紙間距離Ｈｐは、用紙種類に応じて異なる。
【００７８】
ヘッド用紙間距離Ｈｐが大きいほど、インク滴の飛翔時間が長くなるため、インク滴が気流の影響を受けやすくなる。したがって、ヘッド用紙間距離Ｈｐが大きいほど、インク滴（主滴）の着弾ずれやサテライト化が生じやすい。また、インク滴が小さいほど、気流の影響によるインク滴の着弾ずれやサテライト化が生じやすい。そこで、ヘッド用紙間距離Ｈｐが大きいほど最小ドロップ数を大きくすることで、インク滴の着弾ずれによる印刷画質の低下を軽減できるとともに、サテライトの増加を抑制できる。
【００７９】
また、印刷条件として、搬送部２による用紙搬送速度に応じて、各色のインクの最小ドロップ数を調整するようにしてもよい。具体的には、用紙搬送速度が速いほど、最小ドロップ数を大きくするようにしてもよい。
【００８０】
ここで、用紙搬送速度は、印刷解像度等に応じて設定されるものである。用紙搬送速度が速いほど、用紙搬送による気流が強くなり、インク滴の着弾ずれやサテライト化が発生しやすい。そこで、用紙搬送速度が速いほど最小ドロップ数を大きくすることで、インク滴の着弾ずれによる印刷画質の低下を軽減できるとともに、サテライトの増加を抑制できる。
【００８１】
また、ユーザの指示に基づき、最小ドロップ数を調整するようにしてもよい。これにより、例えば、ユーザがサテライトの抑制を重視したい場合に、最小ドロップ数を大きくするように調整できる。ここで、ユーザによる指示は、例えば、図示しない操作パネルから行えるようにすることができる。
【００８２】
また、各色のインクの表面張力と、各色のインクの１画素あたりの最小ドロップ数（最小吐出量）とを関連付けたテーブルを記憶しておき、インクジェット印刷装置１において各インクジェットヘッド２１のインクの表面張力を検出し、テーブルを参照して各色のインクの１画素あたりの最小ドロップ数を取得するようにしてもよい。
【００８３】
また、上述した実施の形態では、インクジェットヘッド２１がマルチドロップ方式である場合で説明したが、これに限らない。インクジェットヘッドは、ノズルから吐出する１画素あたりのインクの吐出量を複数段階で調整可能なものであればよい。例えば、１画素あたりのインクの吐出量を、１回の吐出動作でノズルが吐出するインク滴の大きさにより複数段階で調整可能なものであってもよい。
【００８４】
また、上述した実施の形態では、インクジェット印刷装置１において、印刷画像データ（Ｒ，Ｇ，Ｂの画像データ）から吐出データを生成したが、パーソナルコンピュータ等の外部装置において、印刷画像データから吐出データを生成する処理を行ってもよい。
【００８５】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００８６】
［付記］
本出願は、以下の発明を開示する。
【００８７】
（付記１）
インクを吐出するノズルを有し、前記ノズルから吐出する１画素あたりのインクの吐出量を複数段階で調整可能なインクジェットヘッドを備えるインクジェット印刷装置における各画素に対するインクの吐出量を示す吐出データを、印刷画像データに基づき生成する吐出データ生成部を備え、
前記吐出データ生成部は、１画素あたりのインクの最小吐出量をインクの表面張力に応じて設定した吐出データを生成することを特徴とする画像処理装置。
【００８８】
（付記２）
付記１に記載の画像処理装置と、
前記インクジェットヘッドとを備え、
前記インクジェットヘッドが前記ノズルから吐出するインクは、印刷時の明度に応じた表面張力を有することを特徴とするインクジェット印刷装置。
【符号の説明】
【００８９】
１  インクジェット印刷装置
２  搬送部
３  印刷部
４  制御部
２１，２１Ｋ，２１Ｃ，２１Ｍ，２１Ｙ  インクジェットヘッド
２２  ヘッドホルダ
２３  ヘッドギャップ調整部
３１  メカ制御部
３２  画像処理部
３３  ヘッド制御部
４１  ＲＩＰ処理部
４２  吐出データ生成部
４６  色変換部
４７  ハーフトーン処理部
【図１】
2019202489.tif 000003
【図２】
2019202489.tif 000004
【図３】
2019202489.tif 000005
【図４】
2019202489.tif 000006
【図５】
2019202489.tif 000007
【図６】
2019202489.tif 000008
【図７】
2019202489.tif 000009
【図８】
2019202489.tif 000010
【図９】
2019202489.tif 000011